【事件の表示】
　特願２０００−２３２０１８「磁気ヘッド装置」拒絶査定不服審判事件〔平成１４年　２月１５日出願公開、特開２００２−　５０００２〕について、次のとおり審決する。
【結　論】
　本件審判の請求は、成り立たない。
【理　由】
１　手続の経緯、本願発明
　本願は、平成１２年７月３１日の出願であって、平成１５年２月７日付けで手続補正がなされ、その後平成１５年５月３０日付けで拒絶査定がされ、これに対し、平成１５年７月１１日に審判請求がされるとともに、平成１５年８月６日付けで手続補正がなされたものである。
　平成１５年８月６日付け手続補正は、補正前の請求項１を削除し、補正前の請求項２を独立形式で記載したものを請求項１として項番号を繰り上げ、補正前の請求項３、４の項番号をそれぞれ請求項２、３に補正するものであるので、特許法第１７条の２第４項第１号に規定する特許請求の範囲の請求項の削除を目的とするものに該当する。
　本願の請求項１乃至３に係る発明は、平成１５年８月６日付け手続補正書により補正された明細書及び図面の記載からみて、それぞれ本願特許請求の範囲の請求項１乃至３に記載された事項により特定されるとおりのものであるところ、その請求項１に記載された発明（以下、「本願発明」という。）は次のとおりである。
　「【請求項１】シールドリング内に、磁気ヘッドコア、スライダー、及びボビンに巻回されたコイル巻線を備え、前記ボビンの一方の鍔に、該鍔と略同等幅で所定長さの鍔延長部を延設し、該鍔延長部の先端面部に、該鍔延長部の幅より狭い幅狭延長部を延設し、該幅狭延長部の一端に前記コイル巻線のリード線を接続するための端子部を前記ボビン、鍔延長部及び幅狭延長部と一体形成し、前記シールドリングのスリット部にボビンの幅狭延長部が嵌入することにより、前記端子部がシールドリングの外側に配置される磁気ヘッド装置において、
　前記端子部外側に、前記コイル巻線のリード線を案内する案内溝を形成し、前記リード線を案内溝を通して端子ピンに接続し、
　前記端子部は、略矩形をなし、前記端子部における前記幅狭延長部から離間する側の端面部に前記案内溝を形成し、
　前記一方の鍔における前記コイル巻線が配置される鍔表面部の裏側の鍔裏面部に対応する前記端子部の裏面部に前記端子ピンを設け、
　前記案内溝は、リード線を挿入する側の溝入口部で狭く、端子ピン方向に向かって徐々に広くなる形状で１箇所形成され、
　前記鍔延長部における前記先端面部と直交する２つの側面部のうち一方の側面部側に、一方の側面部側の先端面部及び前記幅狭延長部により切欠部が形成され、前記一方の鍔における前記一方の側面部に沿う鍔一側面及び前記一方の鍔における前記端子部側の端面の交叉により形成される交点と、前記案内溝の底部における前記切欠部側のエッジとを結ぶ線分が前記鍔一側面となす角度θが、鍔延長部の長さ寸法ａ及び前記切欠部の深さ寸法ｂに対して、θ＞ｔａｎ−１（ｂ／ａ）となるように設定されたことを特徴とする磁気ヘッド装置。」
　
２　引用例
（１）　原査定の拒絶の理由で引用された特開平１１−５３７０７号公報（以下「引用例１」という。）には、磁気ヘッド装置に関して次の事項が記載されている。
　（ア）「【請求項１】　
シールドリング内に、磁気ヘッドコア、スライダー、及びボビンに巻回されたコイル巻線を備え、該コイル巻線の端末を接続する端子部は前記ボビンの鍔幅より狭い延長部の一端にボビンと一体で構成され、シールドリングのスリット部にボビンの延長部が嵌入することにより、前記端子部がシールドリングの外側に配置されることを特徴とする磁気ヘッド装置。
　（イ）「【０００９】　さらに、端子付きボビンを使用した磁気ヘッド装置において、図５のように、コイル巻線部から端子台８に設けられた端子ピン９にコイルワイヤー１０を自動巻線機によって巻き付ける場合、ボビン上を通るコイルワイヤーは端子ピンまで最短距離の経路を通るために、コイルワイヤーの通る位置を任意に制御することはできなかった。」
　（ウ）「【００１０】　本発明は上記問題に着目してなされたもので、磁気ヘッド部に端子付きボビンを使用してもシールドリングの外形が大きくならず、シールドリングのスリット部（開口部）を外部ノイズの影響を受けない大きさに抑え、コイル巻線部から端子部に伸びるコイルワイヤーの通る位置を任意に制御することができる磁気ヘッド装置を提供することを目的としている。」
　（エ）「【００１６】　図１（ａ）は、端子付きボビンを使用したコイル部の斜視図であり、図１（ｂ）は、図１（ａ）のコイルワイヤーを省いた平面図である。ボビンＢのコイル５から引き出されるコイルワイヤー１０は、
ボビンＢの端に設けられたボビン鍔Ｂｅ
延長部が端部板Ｂｅの一側面の片側に寄って設けられている
ボビン鍔Ｂｅと延長部１１及び端子台８は一体に形成されている
　（オ）「【００１８】　
端子台８にはコイルワイヤー１０を導くための突起１２が設けられている。コイル５から伸びたコイルワイヤー１０は該突起１２を介してそれぞれの端子ピン９ａから９ｃにからげられる。そして、該突起１２を介することにより、コイルワイヤー１０はボビンＢの鍔幅Ａよりも狭いボビン延長部１１の上をはみ出さずに端子台８まで導かれる
　（カ）「【００２３】　請求項２に係る発明では、請求項１に係る発明において、シールドリングのスリット部をボビンの延長部が通り、シールドリングの外側に端子台が配置され、端子台に設けられた突起を介することによってボビンの延長部上を通るコイルワイヤーの位置が制御できるので、シールドリングのスリット幅を小さくすることにより、外部ノイズに強い磁気ヘッドを得ることができる。また、外部要因による断線等の危険性のある箇所を避けて配線することもできる。」
　（キ）図１（ａ）（ｂ）には、
ボビンＢのボビン鍔Ｂｅは、ボビンの一方の鍔と略同等幅Ａで所定長さの鍔延長部を備え、該鍔延長部の先端面に、幅Ａより狭い幅ａの延長部１１が延設されていること
　（ク）図１（ａ）（ｂ）には、
端子台８が略矩形であること、ボビン鍔Ｂｅにおけるコイルが配置される鍔表面部の裏側の鍔裏面部に対応する端子台の裏面部に、端子ピン９ａ９ｂ９ｃが設けられていること
　（ケ）図１（ａ）（ｂ）には、
コイルワイヤーは、端子台８の外側であって、狭い幅ａの延長部１１から離間する側の端面部に沿って配置され、突起１２から端子ピン９ａ９ｂ９ｃの方向に向かって広がるように配線され、端子ピンに接続されていること
  （コ）図１（ａ）（ｂ）には、
延長部１１がボビン鍔Ｂｅの一側面の片側に寄って設けられ（段落１６）、 ボビン鍔Ｂｅの２つの側面部のうちの一方の側面部側に、一方の側面部側の先端面、及び狭い幅ａの延長部１１により切欠部が、形成されている
ボビン鍔Ｂｅの一部である鍔延長部における２つの側面部は、鍔延長部の先端面と、略直交していること
　
（２）　同じく引用された実願平１−１５２１５５号（実開平３−８９５０７号）のマイクロフィルム（以下「引用例２」という。）には、次の事項が記載されている。
　（サ）「強磁性体からなるコアチップの頂端面に磁気ギャップを形成すると共に、このコアチップの脚柱部に、絶縁被覆処理された線材を巻回したコイルボビンを嵌装してなる磁気ヘッドにおいて、前記コイルボビンに固設されたブロック状端子の外周壁面に、前記コイルボビンから引出された線材の凹状ガイド部を設けたことを特徴とする磁気ヘッド。」（明細書１頁５行〜１３行、実用新案登録請求の範囲）
　（シ）「［産業上の利用分野］　本考案は磁気ヘッドに関し、詳細にはＦＤＤ用磁気ヘッドのコアチップに装着される端子付きコイルボビンの改良に関する。」（明細書１頁１５行〜１８行）
　（ス）「［作用］　端子の外周壁面に設けたガイド部を利用して線材を外周壁面から凹入させて所定の位置に位置決め固定することによって、擦過による絶縁被覆層の破損による短絡や断線等のトラブルを未然に回避する。」（明細書第４頁１５行〜末行）
　（セ）「第１図に示す端子付きコイルボビン（２０）では、端子（１２）の下端面（１２ａ）に、コイルボビン（５）の側胴部巻層から引出された３本の線材（７）の端部（７ａ）（７ｂ）（７ｃ）に対応してそれぞれの巻付固定部材として３本の端子ピン（１４ａ）（１４ｂ）（１４ｃ）を植設すると共に、図示しないジンバルプレート上に固着したとき外側に露呈する端子（１２）の周壁面（１２ｂ）に、コイルボビン（５）の側胴部巻層から引出された前記３本の線材（７）の端部（７ａ）（７ｂ）（７ｃ）を非接触状態に位置決め固定する３つのガイド突起（１６ａ）（１６ｂ）（１６ｃ）が形成されている。これらのガイド突起（１６ａ）（１６ｂ）（１６ｃ）は、その長手方向を端子ピン（１４ａ）（１４ｂ）（１４ｃ）の軸線方向と一致させると共に、ガイド突起（１６ａ）（１６ｂ）（１６ｃ）間で形成される凹状ガイド部に線材（７）の端部（７ａ）（７ｂ）（７ｃ）の独立した引回し経路が形成され得るように相互の配設間隔と突出高さを選定する。」（明細書５頁７行〜６頁６行、第１図）
　（ソ）「上述した第１図及び第２図の端子付きコイルボビン（２０）では、端子（１２）の外周壁面（１２ｂ）にガイド突起（１６ａ）（１６ｂ）（１６ｃ）或いはガイド溝（１７ａ）（１７ｂ）（１７ｃ）からなる凹状ガイド部を設けたことにより、線材（７）の端部（７ａ）（７ｂ）（７ｃ）が外周壁面（１２ｂ）から凹入して位置決め固定されるので、磁気ヘッド組付け時でのコイルボビン（２０）の取扱い上、外部のものと接触せず外部衝撃力が線材（７）の端部（７ａ）（７ｂ）（７ｃ）に直接的に作用することが皆無となる。」（明細書６頁１５行〜７頁５行、第１図、第２図）
　（タ）「尚、上述した端子（１２）の３本の端子ピン（１４ａ）（１４ｂ）（１４ｃ）のうち、端子ピン（１４ｃ）がコイルボビン（５）から外側に突出した位置に配されているため、従来ではこの端子ピン（１４ｃ）に接続される線材（７）の端部（７ｃ）はコイルボビン（５）から引出されて端子ピン（１４ｃ）に達するまでにコイルボビン（５）から食み出してしまうおそれもあったが、本考案では、第１図及び第２図に示すようにガイド突起（１６ｃ）及びガイド溝（１７ｃ）によって位置規制される線材（７）の端部（７ｃ）をコイルボビン（５）に近づけるように配置することができて従来での線材（７）の端部（７ｃ）の食み出しも未然に防止できる。」（明細書７頁６行〜１９行、第１図、第２図）
　
３　対比・判断
（１）対比
　本願発明と引用例１に記載された発明とを対比する。
　引用例１には、上記２（ア）（エ）（オ）（キ）（ク）（ケ）（コ）（下線参照）に摘示した記載事項によれば、
　「シールドリング内に、磁気ヘッドコア、スライダー、及びボビンに巻回されたコイル巻線を備え、該コイル巻線の端末を接続する端子部は前記ボビンの鍔幅より狭い延長部の一端にボビンと一体で構成され、シールドリングのスリット部にボビンの延長部が嵌入することにより、前記端子部がシールドリングの外側に配置されている磁気ヘッド装置であって（上記（ア）参照）、
　ボビンの鍔は、ボビンの一方の鍔と略同等幅で所定長さの鍔延長部を備え、該鍔延長部の先端面に、上記幅より狭い幅の延長部が延設され（上記（エ）（キ）参照）、
　端子部が略矩形であり（上記（ク）参照）、
　ボビンの鍔におけるコイルが配置される鍔表面部の裏側の鍔裏面部に対応する端子部の裏面部に、端子ピンが設けられ（上記（ク）参照）、
　端子部にはコイルワイヤーを導くための突起が設けられ、コイルから伸びたコイルワイヤーは突起を介してそれぞれの端子ピンに接続され（上記（オ）参照）、
　コイルワイヤーは、端子部の外側であって、狭い幅の延長部から離間する側の端面部に沿って配置され、突起から端子ピンの方向に向かって広がるように配線され（上記（ケ）参照）、
　ボビン鍔の一部である鍔延長部における２つの側面部は、鍔延長部の先端面と、直交し、ボビン鍔の２つの側面部のうちの一方の側面部側に、一方の側面部側の先端面、及び狭い幅の延長部により切欠部が、形成され（上記（コ）参照）、
　コイルワイヤーは、 ボビンの鍔幅よりも狭い延長部の上をはみ出さずに端子部まで導かれている（上記（オ）参照）磁気ヘッド装置。 」
　の発明が記載されている。
　引用例１の「延長部」「コイルワイヤー」は、それぞれ本願発明の「幅狭延長部」「コイル巻線のリード線」に相当している。
　引用例１に記載された磁気ヘッド装置は、「シールドリング内に、磁気ヘッドコア、スライダー、及びボビンに巻回されたコイル巻線を備え、該コイル巻線の端末を接続する端子部は前記ボビンの鍔幅より狭い延長部の一端にボビンと一体で構成され、シールドリングのスリット部にボビンの延長部が嵌入することにより、前記端子部がシールドリングの外側に配置されている磁気ヘッド装置であって、ボビンの鍔は、ボビンの一方の鍔と略同等幅で所定長さの鍔延長部を備え、該鍔延長部の先端面に、上記幅より狭い幅の延長部が延設され」ていて、端子部は、ボビンと鍔延長部と延長部（本願発明の「幅狭延長部」に相当）と一体形成されていることが明らかであるから、本願発明の「シールドリング内に、磁気ヘッドコア、スライダー、及びボビンに巻回されたコイル巻線を備え、前記ボビンの一方の鍔に、該鍔と略同等幅で所定長さの鍔延長部を延設し、該鍔延長部の先端面部に、該鍔延長部の幅より狭い幅狭延長部を延設し、該幅狭延長部の一端に前記コイル巻線のリード線を接続するための端子部を前記ボビン、鍔延長部及び幅狭延長部と一体形成し、前記シールドリングのスリット部にボビンの幅狭延長部が嵌入することにより、前記端子部がシールドリングの外側に配置される磁気ヘッド装置」に相当する構成を備えている。
　してみると、本願発明と引用例１に記載された発明は、
　「シールドリング内に、磁気ヘッドコア、スライダー、及びボビンに巻回されたコイル巻線を備え、前記ボビンの一方の鍔に、該鍔と略同等幅で所定長さの鍔延長部を延設し、該鍔延長部の先端面部に、該鍔延長部の幅より狭い幅狭延長部を延設し、該幅狭延長部の一端に前記コイル巻線のリード線を接続するための端子部を前記ボビン、鍔延長部及び幅狭延長部と一体形成し、前記シールドリングのスリット部にボビンの幅狭延長部が嵌入することにより、前記端子部がシールドリングの外側に配置される磁気ヘッド装置において、
　コイル巻線のリード線を端子ピンに接続し、
　前記端子部は、略矩形をなし、
　前記一方の鍔における前記コイル巻線が配置される鍔表面部の裏側の鍔裏面部に対応する前記端子部の裏面部に前記端子ピンを設け、
　前記鍔延長部における前記先端面部と直交する２つの側面部のうち一方の側面部側に、一方の側面部側の先端面部及び前記幅狭延長部により切欠部が形成された、磁気ヘッド装置。」
　である点で一致しており、以下の点で相違している。
　（相違点）本願発明では、「端子部外側に、コイル巻線のリード線を案内する案内溝を形成し、前記リード線を案内溝を通して端子ピンに接続し」、「端子部における幅狭延長部から離間する側の端面部に案内溝を形成し」、「案内溝は、リード線を挿入する側の溝入口部で狭く、端子ピン方向に向かって徐々に広くなる形状で１箇所形成され」、かつ「一方の鍔における一方の側面部（切欠部が形成される側）に沿う鍔一側面及び前記一方の鍔における端子部側の端面の交叉により形成される交点と、前記案内溝の底部における前記切欠部側のエッジとを結ぶ線分が前記鍔一側面となす角度θが、鍔延長部の長さ寸法ａ及び前記切欠部の深さ寸法ｂに対して、θ＞ｔａｎ−１（ｂ／ａ）となるように設定された」構成を備えるのに対し、引用例１に記載された発明では、突起が設けられている点。
　
（２）相違点についての判断
　引用例１に記載された発明においては、巻線のリード線を端子ピンに導くために、突起が設けられ、リード線の経路の位置が制御されることが記載されている（上記（イ）（ウ）（オ）（カ）参照）。
　引用例１に記載された発明と同様の磁気ヘッド装置において、巻線のリード線を案内して端子ピンに導くために、端子の外周壁面に設けた凹状ガイド、即ち案内溝を利用して、リード線を凹入させて所定の位置に位置決めすることによって、絶縁被覆層の破損による短絡や断線等をも回避することが、引用例２に記載されている（上記（サ）〜（ソ）参照）。
　そして、リード線の案内溝には、リード線の経路に応じて、種々の形状があり、一つの溝に複数のリード線が導かれたり、溝の幅が変化する形状のものがあることは、周知の事項である。（例えば、特開平７−２４０００６号公報、特開平１１−３３９２２０号公報、特開昭６１−９４３０４号公報等参照。）
　引用例１に記載された発明において、巻線のリード線を端子ピンに導くために、突起に換えて、上記引用例２に記載されるように、端子部外側に、コイル巻線のリード線を案内する案内溝を形成し、前記リード線を案内溝を通して端子ピンに接続することにより、リード線を導くことは、当業者が適宜なし得ることであり、その際、上記案内溝の位置形状はリード線の経路に応じて適宜設計すべきことである。
　そして、巻線のリード線の経路について、引用例１には、次の（あ）（い）が示されている。
　（あ）　巻線のリード線は、端子部の外側であって、狭い幅の延長部から離間する側の端面部に沿って配置され、案内用の突起から端子ピンの方向に向かって広がるように配線されていること（上記（ケ）参照）、
　（い）　巻線のリード線は、ボビンの鍔幅よりも狭い延長部の上をはみ出さずに端子部まで導かれていること（上記（オ）参照）、すなわち数学的に表現すれば、リード線の経路とボビンの鍔の一側面（切欠部のある側の一側面）のなす角度が、ｔａｎ−１（［切欠部の深さ寸法］／［鍔延長部の長さ寸法］）より大きいということ。
　してみれば、引用例１に記載された発明において、上記案内溝の位置形状を、上記（あ）のリード線の経路に応じて、「端子部における幅狭延長部から離間する側の端面部に案内溝を形成し」、「案内溝は、リード線を挿入する側の溝入口部で狭く、端子ピン方向に向かって徐々に広くなる形状で１箇所形成」するようにし、また、上記案内溝の位置を、上記（い）のリード線の経路に基いて、「一方の鍔における一方の側面部（切欠部が形成される側）に沿う鍔一側面及び前記一方の鍔における端子部側の端面の交叉により形成される交点と、前記案内溝の底部における前記切欠部側のエッジとを結ぶ線分が前記鍔一側面となす角度θが、鍔延長部の長さ寸法ａ及び前記切欠部の深さ寸法ｂに対して、θ＞ｔａｎ−１（ｂ／ａ）となるように」設定することは、当業者が適宜なし得る設計的事項である。
　また、引用例２には、案内溝により、リード線の位置を規制してはみ出しを未然に防止できることも示されている（上記（タ）参照）ことからも、上記相違点に基づく作用効果は、引用例１及び引用例２に記載された発明から、当業者であれば予測することができる程度のものにすぎず、格別顕著なものではない。
　
４　むすび
　したがって、本願発明は、本願出願前に頒布された引用例１及び２に記載された発明に基いて当業者が容易に発明をすることができたものであるから、特許法第２９条第２項の規定により特許を受けることができない。他の請求項を検討するまでもなく、本願は拒絶すべきものである。
　よって、結論のとおり審決する。